(57)【要約】【課題】キーボードスタイルと、タッチスタイルとを切り替えつつ、ユーザの操作性の向上を図った電子機器を実現する。【解決手段】形態の変形に起因して、入力スタイルを変更する入力スタイル決定部（１１０）と、入力スタイルが変更された場合に、動作を開始する機能を選択する機能選択部（１２０）と、を備え、機能選択部（１２０）は、入力スタイルがタッチスタイルに変更された場合に、キーボード（２１）による入力を必要としない機能を選択する。【選択図】図４
2019046370.tif 000002
【特許請求の範囲】
【請求項１】
キーボードを有するキーボード筐体と、表示部を有する表示筐体と、を備え、
上記表示部および上記キーボードがユーザに対向するとともに、上記表示部および上記キーボードが使用可能な形態と、
上記表示部がユーザに対向するとともに、上記表示部が使用可能であり、かつ、上記キーボードの少なくとも一部がユーザに対向していないとともに、上記キーボードの少なくとも一部が使用不可能である形態と、
に変形可能に上記キーボード筐体と上記表示筐体とが連結されている電子機器において、
上記形態の変形に起因して、入力スタイルを、上記キーボードによって入力を行うことができるキーボードスタイルと、上記表示部へのタッチ操作によって入力を行うことができるタッチスタイルと、の間で変更する入力スタイル決定部と、
上記入力スタイルが変更された場合に、動作を開始する機能を選択する機能選択部と、を備え、
上記機能選択部は、上記入力スタイルが上記タッチスタイルに変更された場合に、キーボードによる入力を必要としない機能を選択する
ことを特徴とする電子機器。
【請求項２】
上記機能が過去に動作していたときの動作履歴が、当該機能が動作していたときの上記入力スタイルに関連付けて１または複数記憶された記憶部を備え、
上記機能選択部は、上記入力スタイルが変更された場合に、変更後の上記入力スタイルに関連付けて上記記憶部に記憶された上記機能の動作履歴に基づいて動作を開始する機能を選択する
ことを特徴とする請求項１に記載の電子機器。
【請求項３】
現在位置を取得する位置取得部を備え、
上記機能選択部は、上記位置取得部が取得した現在位置と対応する位置情報に関連付けて上記記憶部に記憶された上記機能の動作履歴に基づいて動作を開始する機能を選択する
ことを特徴とする請求項２に記載の電子機器。
【請求項４】
振動パターンを検出する振動検出部を備え、
上記機能選択部は、上記振動検出部が検出した振動パターンに関連付けて上記記憶部に記憶された上記機能の動作履歴に基づいて動作を開始する機能を選択する
ことを特徴とする請求項２に記載の電子機器。
【請求項５】
現在時刻を取得する計時部を備え、
上記機能選択部は、上記計時部が取得した現在時刻と対応する時刻情報に関連付けて上記記憶部に記憶された上記機能の動作履歴に基づいて動作を開始する機能を選択する
ことを特徴とする請求項２に記載の電子機器。
【請求項６】
外部機器と通信する通信部を備え、
上記機能選択部は、上記入力スタイルが上記タッチスタイルに変更された場合に、上記通信部による外部機器との通信を開始する機能の動作を選択する
ことを特徴とする請求項１に記載の電子機器。
【発明の詳細な説明】
【技術分野】
【０００１】
本発明は、２つの筐体を備えた電子機器に関する。
【背景技術】
【０００２】
従来、２つの筐体と、２つの筐体の少なくとも何れか一方に設けられた表示部と、を備えた電子機器が知られている。これらの電子機器の中には、２つの筐体のうち一方のみを使用可能な形態と、２つの筐体の両方を使用可能な形態とに変形可能なものがある。このように、形態が変形可能な電子機器では、形態の変更を検出して、表示部に表示されている情報の表示態様を変更するものがある（例えば、特許文献１参照）。
【先行技術文献】
【特許文献】
【０００３】
【特許文献１】特開２０１０−４１６３５号公報（２０１０年２月１８日公開）
【特許文献２】特開２０１３−２４６６１３号公報（２０１３年１２月９日公開）
【発明の概要】
【発明が解決しようとする課題】
【０００４】
ところで、キーボードを有するキーボード筐体と、表示部を有する表示筐体と、の２つの筐体を有する電子機器がある。これらの電子機器では、キーボードによって入力を行うことができるキーボードスタイルと、表示部へのタッチ操作によって入力を行うことができるタッチスタイルと、を切り替えることができるものがある。これらの、キーボードスタイルと、タッチスタイルとが切り替わる電子機器において、ユーザの操作性の向上が更に望まれている。
【０００５】
本発明の一態様は、上述した事情を鑑みてなされたものであり、キーボードスタイルと、タッチスタイルとを切り替えつつ、ユーザの操作性の向上を図った電子機器を実現することを目的とする。
【課題を解決するための手段】
【０００６】
上記の課題を解決するために、本発明に係る電子機器は、キーボードを有するキーボード筐体と、表示部を有する表示筐体と、を備え、上記表示部および上記キーボードがユーザに対向するとともに、上記表示部および上記キーボードが使用可能な形態と、上記表示部がユーザに対向するとともに、上記表示部が使用可能であり、かつ、上記キーボードの少なくとも一部がユーザに対向していないとともに、上記キーボードの少なくとも一部が使用不可能である形態と、に変形可能に上記キーボード筐体と上記表示筐体とが連結されている電子機器において、上記形態の変形に起因して、入力スタイルを、上記キーボードによって入力を行うことができるキーボードスタイルと、上記表示部へのタッチ操作によって入力を行うことができるタッチスタイルと、の間で変更する入力スタイル決定部と、上記入力スタイルが変更された場合に、動作を開始する機能を選択する機能選択部と、を備え、上記機能選択部は、上記入力スタイルが上記タッチスタイルに変更された場合に、キーボードによる入力を必要としない機能を選択する構成である。
【発明の効果】
【０００７】
本発明の一態様によれば、キーボードスタイルと、タッチスタイルとを切り替えつつ、ユーザの操作性の向上を図ることができる。
【図面の簡単な説明】
【０００８】
【図１】実施形態１に係る電子機器の外観構成を斜視図である。
【図２】キーボードスタイルの電子機器の外観構成を示す斜視図である。
【図３】タッチスタイルの電子機器の外観構成を示す平面図である。
【図４】電子機器の要部構成の一例を示すブロック図である。
【図５】タッチスタイルの電子機器の表示部の表示例を示す図である。
【図６】タッチスタイルの電子機器の表示部の表示例を示す図である。
【図７】実施形態２に係る電子機器の要部構成の例を示すブロック図である。
【図８】（ａ）〜（ｃ）はタッチスタイルの電子機器の表示部の表示例を示す図である。
【図９】実施形態３に係る電子機器の要部構成の例を示すブロック図である。
【図１０】タッチスタイルの電子機器が外部の周辺機器と接続している状態を示すイメージ図である。
【図１１】実施形態４に係る電子機器の要部構成の例を示すブロック図である。
【図１２】電子機器の動作を示すフローチャートである。
【図１３】電子機器の動作を示すフローチャートである。
【発明を実施するための形態】
【０００９】
〔実施形態１〕
以下、本発明の実施形態１に係る電子機器１について、詳細に説明する。本実施形態では、一例として、電子機器１が電子辞書である場合について説明する。電子辞書は、物理的な記録媒体やネットワーク上に保存されている辞書・百科事典等の内容を検索・表示するものである。ただし、本発明の適用対象は電子辞書に限るものではなく、ノートＰＣや２画面タブレット等の任意の電子機器に適用可能である。
【００１０】
〔電子機器１の概要〕
（電子機器１の外部構造）
まず始めに、図１〜３に基づき、本実施形態に係る電子機器１の外部構造について説明する。なお、本実施形態に直接関係のない部分は、記載の簡潔性を担保する観点から図面では省略した。しかしながら、電子機器１は実施の実情に即して当該省略した構成を含んでもよい。また、各図面に記載した構成の形状、並びに、長さ、大きさおよび幅などの寸法は、実際の形状や寸法を反映させたものではなく、図面の明瞭化と簡略化のために適宜変更している。
【００１１】
図１〜３は電子機器１の外観構成を示す図である。図１は、閉形態での電子機器１の外観構成を示す斜視図であり、図２は、開形態（キーボードスタイル）での電子機器１の外観構成を示す斜視図であり、図３は、タブレット形態（タッチスタイル）での電子機器１の外観構成を示す平面図である。
【００１２】
図２に示すように、電子機器１は、表示筐体１０と、キーボード筐体２０と、を備えている。表示筐体１０と、キーボード筐体２０とは、ヒンジ３０によって連結されており、ヒンジ３０を介して回動可能に構成されている。
【００１３】
表示筐体１０、およびキーボード筐体２０は、内蔵部品を保護する機能を有し、例えば合成樹脂製とすることができる。
【００１４】
表示筐体１０は表示部１１を備えている。キーボード筐体２０はキーボード２１を備えている。表示部１１は、画像を表示画面に表示することができるとともに、タッチパネルを備えタッチ操作による入力を受け付け可能に構成されている。キーボード２１は、物理キーであり、電子機器１に対するユーザの入力操作を受け付ける。また、キーボード２１は、電子機器１の電源のＯＮおよびＯＦＦの切替を行うことができる電源ボタンを含んでいてもよい。また、キーボード筐体２０において、１以上のハードキーが配された面をキーボードと呼んでもよい。
【００１５】
ヒンジ３０は、表示筐体１０と、キーボード筐体２０と、をヒンジ３０を中心に、一方の筐体に対して他方の筐体を略３６０度回動可能に連結する連結部である。ヒンジ３０の種類は特に限定しないが、例えば、いわゆる２軸ヒンジ、または３６０度ヒンジ等を好適に用いることができる。電子機器１において、ヒンジ３０を中心とする回動方向に沿った力が、表示筐体１０と、キーボード筐体２０との少なくともいずれか一方の筐体に対して加えられると、ヒンジ３０を中心に他方の筐体が回動する。ヒンジ３０はさらに、表示筐体１０と、キーボード筐体２０と、をヒンジ３０を中心に任意の角度回動した位置で固定可能である。したがって、電子機器１のユーザは、ヒンジ３０を介して、表示筐体１０と、キーボード筐体２０と、を所望の角度で開いた状態で保持することができる。
【００１６】
電子機器１は、表示筐体１０と、キーボード筐体２０と、をヒンジ３０を介して回動させることで、表示部１１と、キーボード２１とが対向し、互いに重畳して折り畳まれた形態である閉形態とすることができる。電子機器１は、閉形態において、キーボード２１および表示部１１がユーザに対向していないとともに、キーボード２１および表示部１１が使用不可能な形態となる。図１は、閉形態での電子機器１の外観構成を示す斜視図である。
【００１７】
また、電子機器１は、表示筐体１０と、キーボード筐体２０と、をヒンジ３０を介して回動させることで、ユーザが表示部１１の表示を目視しつつ、キーボード２１に対する入力操作を行うことができる、開形態（キーボードスタイル）とすることができる。電子機器１は、開形態において、表示部１１およびキーボード２１がユーザに対向するとともに、表示部１１およびキーボード２１が使用可能な形態となる。図２は、開形態での電子機器１を示す斜視図である。
【００１８】
また、電子機器１は、表示筐体１０と、キーボード筐体２０と、をヒンジ３０を介して回動させることで、表示部１１と、キーボード２１とが背中合わせに配置された状態で重畳された形態であるタブレット形態（タッチスタイル）とすることができる。電子機器１は、タブレット形態において、表示部１１がユーザに対向するとともに、表示部１１が使用可能であり、かつ、キーボード２１の少なくとも一部がユーザに対向していないとともに、キーボード２１の少なくとも一部が使用不可能である形態となる。図３は、タブレット形態での電子機器１を示す平面図である。
【００１９】
電子機器１は、タブレット形態である場合に、所謂タブレット端末として用いることができる。電子機器１は、タブレット形態の場合に表示部１１への指やタッチペン５等を用いたタッチ操作によって入力を行うことができる。また、電子機器１は、タブレット形態の場合には、表示部１１およびキーボード２１が共に電子機器１の外表面に表出した形態となるが、キーボード２１はユーザが対向していない面を向き、その機能の多くが無効化される。電子機器１は、タブレット形態においては、表示部１１へのタッチ操作によって入力操作を行う形態となるように構成されている。なお、電子機器１は、タブレット形態において、キーボード２１による一部の入力、例えば電源のオンおよびオフ等、が可能な構成であってもよい。
【００２０】
なお、図示は省略するが、電子機器１は、ヒンジ３０を介して表示筐体１０と、キーボード筐体２０と、が回動可能に連結されている構成に限られるものではない。例えば、表示筐体１０と、キーボード筐体２０と、が互いに重畳された形態のときに、キーボード筐体２０の上に配設されているキーボード２１が、キーボード筐体２０と、表示筐体１０と、の間に収められ、キーボード２１の少なくとも一部がユーザに対向していないとともに、ユーザに対向する表示部１１が使用可能であるタブレット形態（タッチスタイル）となってもよい。そして、表示筐体１０と、キーボード筐体２０と、を横方向にずらすように、少なくとも何れか一方を他方に対してスライドさせることで、キーボード２１をユーザに対向させ、キーボード２１および表示部１１の両方を使用可能な開形態（キーボードスタイル）とすることができてもよい。
【００２１】
このように、電子機器１は、形態が、閉形態、開形態、およびタブレット形態の３つの形態の間で変形可能に構成されている。また、電子機器１は、形態の変形に起因して、入力スタイルを、キーボード２１によって入力を行うことができるキーボードスタイルとするのか、表示部１１へのタッチ操作によって入力を行うことができるタッチスタイルとするのか、の間で変更する。また、電子機器１は、キーボード２１のキー操作および表示部１１のタッチ操作の少なくとも一部機能の有効および無効を切替えることができるように構成されている。電子機器１は、形態が閉形態の場合にはキーボード２１および表示部１１の両方が使用不可能となる。電子機器１は、形態が開形態の場合にはキーボード２１および表示部１１の両方が使用可能となり、入力はキーボード２１によって行うことができる。また、電子機器１は、形態がタブレット形態の場合には入力は表示部１１へのタッチ操作によって行うことができる。なお、開形態の場合に、表示部１１へのタッチ操作が少なくとも一部有効であってもよいし、タブレット形態の場合に、キーボードの少なくとも一部が使用可能である構成であってもよい。
【００２２】
（電子機器１の要部構成）
図４は、電子機器１の要部構成の一例を示すブロック図である。
【００２３】
図４に示すように、電子機器１は、上述したキーボード２１を有するキーボード筐体２０と、表示部１１を有する表示筐体１０と、に加えて、制御部１００と、形態検出センサ８０と、を含んでいる。
【００２４】
制御部１００は、電子機器１の各部を統括的に制御する機能を備えている演算装置である。制御部１００は、機能ブロックとして、入力スタイル決定部１１０、機能選択部１２０、機能制御部１３０を含んでいる。
【００２５】
形態検出センサ８０は、例えば、表示筐体１０またはキーボード筐体２０の何れか一方に内蔵された磁石と、他方に内蔵された磁気センサと、から構成されていてもよい。形態検出センサ８０は、表示筐体１０またはキーボード筐体２０の何れか一方に内蔵された磁石による生じる磁界を磁気センサにより検出することで、電子機器１の形態が閉形態、開形態、またはタブレット形態のいずれであるかを検出することができる。
【００２６】
なお、形態検出センサ８０は、表示筐体１０またはキーボード筐体２０の何れか一方に内蔵された磁石と、他方に内蔵された磁気センサとからなる構成に限られるものではない。形態検出センサ８０は、例えば、ヒンジ３０に内蔵された部品であって、ヒンジ３０による表示筐体１０と、キーボード筐体２０と、の相対的な回転角度を検出することができるものであってもよい。
【００２７】
制御部１００の入力スタイル決定部１１０は、形態検出センサ８０から出力された信号を取得し、電子機器１の形態の変形に起因して、入力スタイルを電子機器１の形態に応じたスタイルに決定し、入力スタイルを変更する。入力スタイル決定部１１０は、電子機器１の形態が閉形態に変形されたことに起因して、キーボード２１への入力操作、および表示部１１へのタッチ入力を無効にする。
【００２８】
また、入力スタイル決定部１１０は、電子機器１の形態が開形態に変形されたことに起因して、キーボード２１を有効にし、キーボード２１によって入力を行うことができるキーボードスタイルへと入力スタイルを変更する。なお、入力スタイル決定部１１０は、入力スタイルをキーボードスタイルへと変更した場合に、表示部１１へのタッチ入力を無効にする構成であってもよいし、有効にする構成であってもよい。また、入力スタイルがキーボードスタイルである場合には、表示部１１へのタッチ入力を無効とするか、有効とするかは、ユーザが任意に設定することができる構成であってもよい。
【００２９】
また、入力スタイル決定部１１０は、電子機器１の形態がタブレット形態に変形されたことに起因し、表示部１１へのタッチ入力を有効とし、入力スタイルを、表示部へのタッチ操作によって入力を行うことができるタッチスタイルに変更する。なお、タッチスタイルにおいて、キーボード２１による入力を無効にしてもよいし、キーボード２１のうち例えば電源のオンおよびオフを操作するキー等の一部のキーは使用可能な状態とし、残りのキーを無効にしてもよい。
【００３０】
機能選択部１２０は、入力スタイル決定部１１０によって入力スタイルが変更された場合に、動作を開始する機能を選択する。例えば、機能選択部１２０は、入力スタイルがタッチスタイルに変更された場合に、タッチスタイルで機能するアプリケーション、つまり、キーボード２１による入力を必要としないアプリケーションを選択する。なお、機能選択部１２０は、入力スタイル決定部１１０によって入力スタイルが変更された場合に動作を開始する機能を選択する構成に限らず、形態検出センサ８０の出力に基づいて、電子機器１の形態の変形を検知して、動作を開始する機能を選択することができてもよい。
【００３１】
機能制御部１３０は、機能選択部１２０が選択した機能の動作を開始する。機能制御部１３０は、表示部１１の表示動作を制御する機能を備えている構成であってもよく、動作を開始した機能に基づく画像を表示部１１に表示する。また、機能制御部１３０は、機能選択部１２０が選択した機能を、ユーザ操作によって動作を開始することができるように表示部１１に表示する構成であってもよい。
【００３２】
図５は、電子機器１の形態がタブレット形態となった場合の表示部１１の表示画面の例を示す図である。
【００３３】
図５に示すように、電子辞書である電子機器１の形態がタブレット形態となった場合、キーボード２１による入力を必要としない学習機能が選択され、表示部１１に動作を開始可能に表示されてもよい。選択された学習機能が複数ある場合には、ユーザが動作を開始させる機能を表示部１１へのタッチ操作で選択することができるように、各機能を示すアイコンが表示部１１に表示されてもよい。
【００３４】
図６は、電子機器１の形態がタブレット形態である場合に、ユーザが、一機能を初めて起動したときに表示される画面の一例を示す図である。図６に示すように、タブレット形態で、ある機能を、ユーザが初めて開始する操作を行った場合に、制御部１００は、電子機器１の形態がタブレット形態になった場合に当該機能の動作を自動で開始させる設定を行うか否かをユーザに尋ねるポップアップ画面を表示してもよい。ユーザが、タブレット形態で当該機能の動作を自動で開始させる設定を行った場合には、入力スタイルがタッチスタイルに変更されたことに起因して、機能選択部１２０が当該機能を選択し、機能制御部１３０の機能によって当該機能の動作が開始されてもよい。
【００３５】
また、電子機器１の形態がタブレット形態である場合に、ユーザが、一機能を初めて起動したときに、タブレット形態になった場合には当該機能の動作を自動で開始させる設定変更が行われる旨の確認のアラートメッセージを表示部１１にポップアップ表示してもよい。
【００３６】
以上の構成によれば、ユーザは、電子機器１の形態を変形するだけで、各入力スタイルに応じた機能の動作を簡単に開始させることができる。
【００３７】
なお、本実施形態は、キーボード２１および表示部１１の両方を使用可能な形態と、表示部１１のみを使用可能な形態とに変形可能に連結されている電子機器においても適用可能である。例えば、電子機器１が、キーボード筐体と、表示筐体とを完全に切り離した状態で使用可能な電子機器である場合には、タブレット形態に変形させた際には、表示部１１のみが使用可能となる。このように、キーボード筐体２０と、表示筐体１０とを切り離し、表示部１１のみを使用可能なタブレット形態に変形させた電子機器１においても、入力スタイルをタッチスタイルに変更しつつ、キーボードによる入力を必要としない機能を選択して動作を開始させることができる構成とすることができる。
【００３８】
また、電子機器１が、タブレット形態にして使用可能なノートＰＣや、ナビゲーション機能を有するシステムなどである場合には、電子機器１の入力スタイルがタッチスタイルに変更されたことに起因して、電子機器１が以下のように動作してもよい。
【００３９】
例えば、ナビゲーション機能を有する電子機器１において、ユーザがキーボードスタイルで地図検索を行っていたときに、電子機器１の形態を開形態からタブレット形態に変形させたとする。電子機器１は、形態の変形に応じて、入力スタイルがキーボードスタイルからタッチスタイルへと変更される。ナビゲーション機能を有する電子機器１では、入力スタイルがタッチスタイルへと変更された場合に、制御部１００によって地図検索の結果に基づくナビゲーションが開始されてもよい。さらに、ユーザが電子機器１の形態をタブレット形態から開形態に変形したことに起因して、入力スタイルがタッチスタイルからキーボードスタイルに変更された場合に、制御部１００によって地図検索機能が復帰され、経路変更、経路追加、周辺施設検索等が実行可能になる構成であってもよい。
【００４０】
〔実施形態２〕
本発明の実施形態２について、以下に説明する。なお、説明の便宜上、上記実施形態にて説明した部材と同じ機能を有する部材については、同じ符号を付記し、その説明を繰り返さない。
【００４１】
図７は、実施形態２に係る電子機器１ａの要部構成の例を示すブロック図である。電子機器１ａは、実施形態１で説明した電子機器１に加えて、記憶部５０を備えている。記憶部５０には、電子機器１ａが備える機能の動作履歴が記憶されている。
【００４２】
記憶部５０には、過去直近に各入力スタイルで動作していた機能の動作履歴が、当該機能が動作していたときの入力スタイルに関連づけて、入力スタイル毎に記憶されている。
【００４３】
図８（ａ）〜（ｃ）は、電子機器１ａがタブレット形態で用いられ、タッチスタイルで入力された操作の一例を示す図である。電子機器１ａの形態がタブレット形態に変形されたことに起因して、図８（ａ）に示すように、制御部１００の制御により、表示部１１には、キーボード２１による入力を必要としない機能のアイコンが表示される。ユーザが、表示された機能の中から動作を開始する機能を選択する操作を行うと、図８（ｂ）に示すように、当該機能に係る選択画面が表示部１１に表示される。表示部１１には、例えば、ユーザが選択した機能を、前回の続きから開始するか、または、新規に始めから開始するか、同一機能の別の内容（学習なのか、復習なのか等）を開始するか等を、ユーザが選択することができるように表示される。
【００４４】
ユーザが前回の続きから機能を開始することを選択した場合には、制御部１００は、記憶部５０に記憶された機能の動作履歴を参照して、図８（ｃ）に示すように、当該機能をユーザが前回利用した際に、ユーザが見ていた画面を表示するレジューム動作を行う。
【００４５】
ここで、電子辞書である電子機器１ａは、図８（ｃ）に示したように、例えば英単語を学習する機能において、暗記したい部分や重要な部分にマーカを付すことができる。また、電子機器１ａの学習機能では、マーカを付した部分も含めて全て表示する表示タブＴＡと、画面全体に赤色のフィルムが被せられたように表示して緑色マーカが付された部分を見えなくする、緑色マーカ非表示タブＴＲと、画面全体に緑色のフィルムが被せられたように表示して赤色マーカが付された部分を見えなくする、赤色マーカ非表示タブＴＢと、が備えられていてもよい。
【００４６】
記憶部５０には、例えば、過去直近にタッチスタイルで動作していた機能の名称、当該機能のどの部分が表示部１１に表示されていたか、表示の態様（例えば、緑色マーカ非表示タブＴＲが実行されていた）などの動作履歴が、当該機能が動作していたときの入力スタイルに関連付けて記憶されている。
【００４７】
電子機器１ａの形態が、タッチスタイルで学習機能を実行している途中で、閉形態に変形された場合であっても、記憶部５０には、直近のタッチスタイルでの使用時の機能の動作履歴が記憶されている。電子機器１ａの制御部１００は、入力スタイル決定部１１０の機能によって、入力スタイルをタッチスタイルへと変更する。入力スタイルが変更されたことを検知すると、機能選択部１２０は、変更後の入力スタイルであるタッチスタイルに関連付けて記憶部５０に記憶されている機能の動作履歴であって、過去直近にタッチスタイルで動作していた機能の動作履歴に基づいて動作を開始する機能を選択する。
【００４８】
制御部１００は、機能制御部１３０の機能により、機能選択部１２０が選択した機能を、過去直近にタッチスタイルでユーザが最後に見ていた画面を表示部１１に表示すべく制御する。このように、電子機器１ａの制御部１００は、電子機器１ａの形態の変形に起因して、入力スタイルを変更するとともに、入力スタイルに応じた機能であって、過去直近に同一入力スタイルで動作していた機能をレジュームさせることができる。
【００４９】
このように、本実施形態によれば、ユーザは、電子機器１ａの形態を変形するだけで、各入力スタイルで過去直近に利用していた機能を再開することができる。よって、ユーザの操作性が向上する。
【００５０】
〔実施形態３〕
本発明の実施形態３について、以下に説明する。なお、説明の便宜上、上記実施形態にて説明した部材と同じ機能を有する部材については、同じ符号を付記し、その説明を繰り返さない。
【００５１】
図９は、実施形態３に係る電子機器１ｂの要部構成の例を示すブロック図である。電子機器１ｂは、実施形態１で説明した電子機器１に加えて、通信部９０を備えている。通信部９０は、接続したネットワークを介して外部の周辺機器（外部機器）と通信することができるように構成されている。通信部９０は、例えば、Ｗｉ−Ｆｉ（登録商標）やＢｌｕｅｔｏｏｔｈ（登録商標）規格に準拠した近距離無線通信用のモジュールを備え、外部の周辺機器と近距離無線通信を行うことができるように構成されていてもよい。外部の周辺機器は、例えば、図１０に示したように、プロジェクター２１０、および、パーソナルコンピュータ２２０等である。
【００５２】
制御部１００は、形態検出センサ８０の出力に基づいて入力スタイル決定部１１０が入力スタイルをタッチスタイルに変更した場合に、機能選択部１２０の機能によって、通信部９０を介して外部の周辺機器と通信する機能を選択し、自動的に動作を開始することができる。
【００５３】
電子機器１ｂは、会議やプレゼンテーションの場面で好適に用いることができる。ここでは電子機器１ｂは、タブレット形態で使用可能なノートＰＣであるのが望ましい。例えば、ユーザは、聴衆として席でメモを取るときには、電子機器１ｂをキーボードスタイルで使用する。そして、ユーザは、発表者として発表するときには、電子機器１ｂの形態をタブレット形態に変形することで、入力スタイルをタッチスタイルに変更する。制御部１００は、入力スタイルがタッチスタイルに変更されたことに起因し、通信部９０を介して周囲のプロジェクター２１０やパーソナルコンピュータ２２０に無線接続して通信を開始する。そして、制御部１００は通信部９０を介して、電子機器１ｂの表示部１１に表示されている表示内容をプロジェクター２１０やパーソナルコンピュータ２２０に送信する。このように、ユーザは、電子機器１ｂの形態を変形するだけで、プロジェクター２１０や周囲のパーソナルコンピュータ２２０に表示内容を自動送信して共有することができる。
【００５４】
〔実施形態４〕
本発明の実施形態４について、以下に説明する。なお、説明の便宜上、上記実施形態にて説明した部材と同じ機能を有する部材については、同じ符号を付記し、その説明を繰り返さない。
【００５５】
図１１は、実施形態４に係る電子機器１ｃの要部構成の例を示すブロック図である。電子機器１ｃは、実施形態２で説明した電子機器１ａに加えて、位置取得部６１、振動検出部６２、計時部６３を備えている。
【００５６】
位置取得部６１は、少なくともＧＰＳアンテナを含み、電子機器１ｃの、現在位置の情報を取得可能に構成されている。位置取得部６１は、Ｗｉ−Ｆｉ（登録商標）アンテナやＬＴＥアンテナなどの無線通信アンテナを更に含み、高精度に電子機器１ｃの、現在位置の情報を取得することができてもよい。位置取得部６１は、取得した現在位置に関する情報を制御部１００に提供する。
【００５７】
振動検出部６２は、少なくとも加速度センサを含み、電子機器１ｃに加えられている振動の加速度や振幅等の振動パターンを検出する。振動検出部６２は、検出した振動パターンに関する情報を制御部１００に提供する。なお、振動検出部６２は、加速度センサとして３軸加速度センサを用いてもよいし、２軸加速度センサ、または、ジャイロセンサを用いてもよい。
【００５８】
計時部６３は現在時刻を取得する機能を有する。計時部６３は取得した現在時刻を制御部１００に提供する。
【００５９】
制御部１００は、実行した機能の動作履歴を、位置取得部６１によって取得された位置に関する情報、振動検出部６２によって検出された振動パターンに関する情報、計時部６３によって計時された時刻に関する情報の少なくとも何れか一つと関連付けて記憶部５０に記憶する。
【００６０】
記憶部５０には、一機能が過去に動作していたときの動作履歴が、当該機能が動作していた時の入力スタイルに関連付けて１または複数記憶されている。また、記憶部５０が記憶している機能の動作履歴は、当該機能が過去に動作していたときの電子機器１ｃの位置情報と関連付けて記憶されていてもよい。また、記憶部５０が記憶している機能の動作履歴は、当該機能が過去に動作していたときに電子機器１ｃに加えられていた振動パターンの情報と関連付けて記憶されていてもよい。また、記憶部５０が記憶している機能の動作履歴は、当該機能が過去に動作していたときの時刻に関する情報と関連付けて記憶されていてもよい。
【００６１】
入力スタイル決定部１１０の機能によって入力スタイルが変更された場合に、機能選択部１２０は、記憶部５０に記憶された機能の動作履歴と、位置取得部６１、振動検出部６２、計時部６３の少なくとも何れか一つから取得した現在位置、振動パターン、または時刻の少なくとも何れか一つに対応する情報に関連付けられて記憶部５０に記憶された動作履歴に基づいて動作を開始する機能を選択する。
【００６２】
（現在位置に基づいて動作を開始する機能を選択する例）
図１２を参照して、記憶部に位置情報に関連付けて記憶部５０に記憶された機能の動作履歴と、現在位置とに基づいて動作を開始する機能を選択する処理の流れについて説明する。
【００６３】
（ステップＳ１０１）
制御部１００は、入力スタイルがタッチスタイルに変更されたか否かを判定する。制御部１００は、入力スタイルがタッチスタイルに変更されたと判定すると（ステップＳ１０１でＹＥＳ）、ステップＳ１０２に進む。制御部１００は、入力スタイルがタッチスタイルに変更されていないと判定すると（ステップＳ１０１でＮＯ）、処理を終了する。
【００６４】
（ステップＳ１０２）
制御部１００は、位置取得部６１から提供される現在位置に関する情報に基づいて、現在位置を特定する。位置取得部６１から提供される現在位置に関する情報は例えば、ＧＰＳアンテナで検出された座標の情報であり、制御部１００は、位置取得部６１から取得した現在位置に関する情報に基づいて、ある程度の範囲を有する現在位置を特定する。現在位置は、例えば、半径５０ｍ等の距離の範囲で特定されてもよいし、地区や施設等の範囲で特定されてもよい。
【００６５】
（ステップＳ１０３）
制御部１００は、ステップＳ１０２で特定した現在位置に基づいて、当該現在位置は鉄道またはバス路線上か否かを判定する。制御部１００は、現在位置が鉄道またはバス路線上であると判定すると（ステップＳ１０３でＹＥＳ）、ステップＳ１０４に進む。制御部１００は、現在位置が鉄道またはバス路線上ではないと判定すると（ステップＳ１０３でＮＯ）、処理を終了する。
【００６６】
（ステップＳ１０４）
制御部１００は、機能選択部１２０の機能により、現在位置と対応する位置情報に関連付けて記憶部５０に記憶された機能の動作履歴に基づいて動作を開始する機能を選択する。例えば、ユーザが鉄道またはバス路線上で過去に単語学習等の学習機能を使っていた動作履歴が記憶部５０に残っている場合には、機能選択部１２０は、動作を開始する機能として学習機能を選択して、機能制御部１３０の機能により、当該学習機能の動作を開始する。
【００６７】
このように、現在位置が鉄道またはバス路線上である場合であって、鉄道またはバス路線上でユーザが過去に学習機能を使っていた場合には、ユーザが電車やバスで移動中に電子機器１ｃをタブレット形態に変形されると、入力スタイルがタッチスタイルへと変更され、学習機能の動作が開始され、表示部１１の表示画面が学習機能の画面に遷移する。
【００６８】
また、例えば、ユーザが電車やバスで移動中に、学習機能を利用して単語学習をした動作履歴と、読書用のアプリケーションを利用して読書をした動作履歴とが記憶部５０に記憶されている場合には、制御部１００は、どちらの機能の動作を開始するかユーザが選択することができる画面を表示部１１に表示してもよい。
【００６９】
このように、ユーザが電車やバスで移動中に、学習機能を利用して単語学習をした履歴が記憶部５０に記憶されており、ユーザが電車やバスで移動中に電子機器１ｃをタブレット形態に変形させた場合には、自動で学習機能の動作を開始されることができる。よって、ユーザの行動パターンに応じた機能の動作を開始させることができ、ユーザの操作性が向上する。
【００７０】
（振動パターンに基づいて動作を開始する機能を選択する例）
図１３を参照して、記憶部に記憶された機能の動作履歴と、振動パターンとを参照して動作を開始する機能を選択する処理の流れについて説明する。
【００７１】
（ステップＳ２０１）
制御部１００は、入力スタイルがタッチスタイルに変更されたか否かを判定する。制御部１００は、入力スタイルがタッチスタイルに変更されたと判定すると（ステップＳ２０１でＹＥＳ）、ステップＳ２０２に進む。制御部１００は、入力スタイルがタッチスタイルに変更されていないと判定すると（ステップＳ２０１でＮＯ）、処理を終了する。
【００７２】
（ステップＳ２０２）
制御部１００は、振動検出部６２から提供される振動パターンに関する情報に基づいて、現在の振動パターンを特定する。制御部１００は、振動検出部６２が検出した振動パターンに関する情報に基づいて振動パターンが、電車で移動中のものであるのか、バスで移動中のものであるのか、徒歩で移動中のものであるのか、その他の状況のものであるかを特定する。
【００７３】
（ステップＳ２０３）
制御部１００は、ステップＳ２０２で特定した振動パターンに基づいて、当該振動パターンは交通機関利用時の振動パターンか否かを判定する。制御部１００は、現在の振動パターンが交通機関利用時の振動パターンであると判定すると（ステップＳ２０３でＹＥＳ）、ステップＳ２０４に進む。制御部１００は、現在の振動パターンが交通機関利用時の振動パターンではないと判定すると（ステップＳ２０３でＮＯ）、処理を終了する。
【００７４】
（ステップＳ２０４）
制御部１００は、機能選択部１２０の機能により、現在の振動パターンと対応する振動パターンに関連付けて記憶部５０に記憶された機能の動作履歴に基づいて動作を開始する機能を選択する。例えば、ユーザが電車やバスで移動中に過去に単語学習等の学習機能を使っていた動作履歴が記憶部５０に残っている場合には、機能選択部１２０は、動作を開始する機能として学習機能を選択して、機能制御部１３０の機能により、当該学習機能の動作を開始する。
【００７５】
このように、現在の振動パターンが電車やバスで移動中であることを示す場合であって、電車やバスで移動中にユーザが過去に学習機能を使っていた場合には、ユーザが電車やバスで移動中に電子機器１ｃをタブレット形態に変形すると、入力スタイルがタッチスタイルへと変更され、学習機能の動作が開始され、表示部１１の表示画面が学習機能の画面に遷移される。
【００７６】
このように、ユーザが電車やバスで移動中に、学習機能を利用して単語学習をした履歴が記憶部５０に記憶されており、ユーザが電車やバスで移動中に電子機器１ｃをタブレット形態に変形させた場合には、自動で学習機能の動作を開始されることができる。よって、ユーザの行動パターンに応じた機能の動作を開始させることができ、ユーザの操作性が向上する。
【００７７】
なお、制御部１００の機能選択部１２０は、記憶部５０に記憶された機能の動作履歴に関連付けられた時刻情報に基づいて、現在時刻と対応する時刻にユーザが過去に実行していた機能を選択してもよい。例えば、ユーザが朝の通勤や通学時には学習機能のリスニングアプリケーションを利用し、夜は自宅で学習機能の単語学習アプリケーションを利用している場合に、制御部１００の機能選択部１２０は、ユーザの時刻に応じた行動パターンに合わせた機能の動作を開始することができる。
【００７８】
〔ソフトウェアによる実現例〕
電子機器１〜１ｄの制御ブロック（特に制御部１００）は、集積回路（ＩＣチップ）等に形成された論理回路（ハードウェア）によって実現してもよいし、ＣＰＵ（Central Processing Unit）を用いてソフトウェアによって実現してもよい。
【００７９】
後者の場合、電子機器１〜１ｄは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８０】
〔まとめ〕
本発明の態様１に係る電子機器（１）は、キーボード（２１）を有するキーボード筐体（２０）と、表示部（１１）を有する表示筐体（１０）と、を備え、上記表示部（１１）および上記キーボード（２１）がユーザに対向するとともに、上記表示部（１１）および上記キーボード（２１）が使用可能な形態と、上記表示部（１１）がユーザに対向するとともに、上記表示部（１１）が使用可能であり、かつ、上記キーボード（２１）の少なくとも一部がユーザに対向していないとともに、上記キーボード（２１）の少なくとも一部が使用不可能である形態と、に変形可能に上記キーボード筐体（２０）と上記表示筐体（１０）とが連結されている電子機器において、上記形態の変形に起因して、入力スタイルを、キーボード（２１）によって入力を行うことができるキーボードスタイルと、表示部（１１）へのタッチ操作によって入力を行うことができるタッチスタイルと、の間で変更する入力スタイル決定部（１１０）と、上記入力スタイルが変更された場合に、動作を開始する機能を選択する機能選択部（１２０）と、を備え、上記機能選択部（１２０）は、上記入力スタイルが上記タッチスタイルに変更された場合に、キーボード（２１）による入力を必要としない機能を選択する構成である。
【００８１】
上記の構成によれば、電子機器の形態を変形するだけで、入力スタイルを変更しつつ、タッチスタイルでは、キーボードによる入力を必要としない機能の動作が開始される。よって、ユーザは、タッチスタイルにおいて、キーボードによる入力を必要としない機能を容易に利用することができ、ユーザの操作性が向上される。
【００８２】
本発明の態様２に係る電子機器１ａは、上記の態様１において、上記機能が過去に動作していたときの動作履歴が、当該機能が動作していた時の上記入力スタイルに関連付けて１または複数記憶された記憶部（５０）を備え、上記機能選択部（１２０）は、上記入力スタイルが変更された場合に、変更後の入力スタイルに関連付けて上記記憶部（５０）に記憶された上記機能の動作履歴に基づいて動作を開始する機能を選択する構成である。
【００８３】
上記の構成によれば、入力スタイルに関連付けて記憶された機能の動作履歴に基づいて動作を開始する機能が選択されるため、ユーザの利用傾向に応じた機能を選択することができ、ユーザの操作性が向上される。
【００８４】
本発明の態様３に係る電子機器（１ｃ）は、上記の態様２において、現在位置を取得する位置取得部（６１）を備え、上記機能選択部（１２０）は、上記位置取得部（６１）が取得した現在位置と対応する位置情報に関連付けて上記記憶部（５０）に記憶された上記機能の動作履歴に基づいて動作を開始する機能を選択する構成としてもよい。
【００８５】
上記の構成によれば、位置情報に基づいて、ユーザの行動パターンに応じた動作を開始する機能を選択することができ、ユーザの操作性が向上される。
【００８６】
本発明の態様４に係る電子機器（１ｃ）は、上記の態様２において、振動パターンを検出する振動検出部（６２）を備え、上記機能選択部（１２０）は、上記振動検出部（６２）が検出した振動パターンに関連付けて上記記憶部（５０）に記憶された上記機能の動作履歴に基づいて動作を開始する機能を選択する構成としてもよい。
【００８７】
上記の構成によれば、振動パターンに基づいて、ユーザの行動パターンに応じた動作を開始する機能を選択することができ、ユーザの操作性が向上される。
【００８８】
本発明の態様５に係る電子機器（１ｃ）は、上記の態様２において、現在時刻を取得する計時部（６３）を備え、上記機能選択部（１２０）は、上記計時部（６３）が取得した現在時刻と対応する時刻情報に関連付けて上記記憶部（５０）に記憶された上記機能の動作履歴に基づいて動作を開始する機能を選択する構成としてもよい。
【００８９】
上記の構成によれば、時刻情報に基づいて、ユーザの行動パターンに応じた動作を開始する機能を選択することができ、ユーザの操作性が向上される。
【００９０】
本発明の態様６に係る電子機器（１ｂ）は、上記の態様１において、外部機器（２１０、２２０）と通信する通信部（９０）を備え、上記機能選択部（１２０）は、上記入力スタイルが上記タッチスタイルに変更された場合に、上記通信部（９０）による外部機器（２１０、２２０）との通信を開始する機能の動作を選択する構成としてもよい。
【００９１】
上記の構成によれば、電子機器１の形態を変形するだけで、入力スタイルを変更しつつ、タッチスタイルでは、外部機器との通信を自動で開始することができる。よって、ユーザの操作性が向上される。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９３】
１、１ａ、１ｂ、１ｃ  電子機器
１０  表示筐体
１１  表示部
２０  キーボード筐体
２１  キーボード
５０  記憶部
６１  位置情報取得部
６２  振動検出部
６３  計時部
８０  形態検出センサ
９０  通信部
１００  制御部
１１０  入力スタイル決定部
１２０  機能選択部
１３０  機能制御部
１４０  表示制御部
【図１】
2019046370.tif 000003
【図２】
2019046370.tif 000004
【図３】
2019046370.tif 000005
【図４】
2019046370.tif 000006
【図５】
2019046370.tif 000007
【図６】
2019046370.tif 000008
【図７】
2019046370.tif 000009
【図８】
2019046370.tif 000010
【図９】
2019046370.tif 000011
【図１０】
2019046370.tif 000012
【図１１】
2019046370.tif 000013
【図１２】
2019046370.tif 000014
【図１３】
2019046370.tif 000015